(57)【要約】【課題】高速順方向パケット接続（Ｈｉｇｈ―ＳｐｅｅｄＤｏｗｎ―ｌｉｎｋＰａｃｋｅｔＡｃｃｅｓｓ；ＨＳＤＰＡ）方式が使用される非同期符号分割多重接続通信システムにおいて高速順方向物理共有チャネル（ＨｉｇｈＳｐｅｅｄＤｏｗｎｌｉｎｋＰｈｙｓｉｃａｌＳｈａｒｅｄＣｈａｎｎｅｌ；ＨＳ−ＰＤＳＣＨ）の電力を割り当てるために電力オフセットを決定し、これを基地局および移動端末に提供するための移動通信システムにおけるシグナリング方法を提供する。【解決手段】ＣＲＮＣとＮｏｄｅＢによりＨＳ−ＰＤＳＣＨ基準電力オフセットを決定し、これを端末またはＮｏｄｅＢに伝達するための信号処理方法を提供する。【選択図】　図６
2004040778.tif 000002
【特許請求の範囲】
【請求項１】
基地局と、前記基地局により占有されるセル内にある
移動端末と通信するための資源情報を管理するための前記基地局と接続されたＤＲＮＣと、前記ＤＲＮＣと接続され、前記移動端末に制御メッセージを伝送するためのＳＲＮＣと、を含むシステムにおいて、前記セル内にある移動端末と前記基地局との間で良好なチャネル性能の指示がなされるように前記ＤＲＮＣにおいて高速順方向物理共有チャネルに関してあらかじめ決定された電力オフセット情報を伝送する方法であって、
前記ＳＲＮＣから前記ＤＲＮＣに無線リンク設定要請を行う過程と；
前記ＤＲＮＣから前記基地局に前記あらかじめ決定された電力オフセット情報を含む無線リンク設定要請メッセージを伝送する過程と；
前記ＤＲＮＣから前記ＳＲＮＣに前記あらかじめ決定された電力オフセット情報を含む無線リンク設定応答メッセージを伝送する過程と；
前記ＳＲＮＣから前記移動端末に前記あらかじめ決定された電力オフセット情報を伝送する過程と；を含むことを特徴とする方法。
【請請求項２】前記無線リンク設定応答メッセージは、前記基地局から前記あらかじめ決定された電力オフセット情報を受信してから伝送することを特徴とする請求項１に記載の方法。
【請求項３】
前記あらかじめ決定された電力オフセット情報は、共通パイロットチャネルに割り当てられた電力と前記高速順方向物理共有チャネルに割り当てられた電力との比率を勘案して決定することを特徴とする請求項１に記載の方法。
【請求項４】
前記あらかじめ決定された電力オフセット情報ＰＯｈｓｄｓｃｈは、下記の数学式により決定することを特徴とする請求項３に記載の方法。
【数式１】
2004040778.tif 000009
ここで、Ｐｏｗｅｒｈｓｄｓｃｈは高速順方向物理共有チャネルのコードあたりの電力を表し、ＭａｘＨＳＤＰＡＴｏｔａｌｐｏｗｅｒは全体ＨＳＤＰＡサービスのために割り当てられた電力を表し、ＭａｘＨＳ―ＳＣＣＨｐｏｗｅｒは高速共有制御チャネルに割り当てられた電力を表し、Ｎは高速順方向物理共有チャネルに使用される全体コードの数を表し、Ｐｏｗｅｒｃｐｉｃｈは共通パイロットチャネルに割り当てられた電力を表す。
【請求項５】
前記ＳＲＮＣは、前記移動端末との無線ベアラー設定時、前記あらかじめ決定された電力オフセット情報を伝送することを特徴とする請求項１に記載の方法。
【請求項６】
基地局と、前記基地局により占有されるセル内にある移動端末と通信するための資源情報を管理するための前記基地局と接続されたＤＲＮＣと、前記ＤＲＮＣと接続され、前記移動端末に制御メッセージを伝送するためのＳＲＮＣと、を含むシステムにおいて、前記セル内にある移動端末と前記基地局との間に良好なチャネル性能の指示がなされるように前記ＤＲＮＣにおいて高速順方向物理共有チャネルに関してあらかじめ決定された電力オフセット情報を伝送する方法であって、
前記ＳＲＮＣから前記ＤＲＮＣに無線リンク再設定準備を要請する過程と；
前記ＤＲＮＣから前記基地局に無線リンクの再設定を準備させるメッセージに前記あらかじめ決定された電力オフセット情報を含めて伝送する過程と；
前記ＤＲＮＣから前記ＳＲＮＣに無線リンクを再設定する準備ができたことを知らせるメッセージに前記あらかじめ決定された電力オフセット情報を含めて伝送する過程と；
前記ＳＲＮＣから前記移動端末に無線ベアラーの再設定を要請するメッセージに前記あらかじめ決定された電力オフセット情報を含めて伝送する過程と；を含むことを特徴とする方法。
【請求項７】
前記ＤＲＮＣから前記ＳＲＮＣへの無線リンク再設定準備メッセージは、前記基地局から無線リンク再設定準備が受信されてから伝送されることを特徴とする請求項６に記載の方法。
【請求項８】
前記ＳＲＮＣは前記無線リンクを再設定する準備ができたことを知らせるメッセージを受信すると、前記無線リンクの再設定を委託するメッセージを前記ＤＲＮＣに伝送する過程と；
前記ＳＲＮＣから伝送された無線リンクの再設定を委託するメッセージに応じて、ＤＲＮＣは前記基地局に前記無線リンクの再設定を委託するメッセージを伝送する過程と；をさらに含むことを特徴とする請求項６に記載の方法。
【請求項９】
前記あらかじめ決定された電力オフセット情報は、共通パイロットチャネルに割り当てられた電力と前記高速順方向物理共有チャネルに割り当てられた電力との比率を勘案して決定することを特徴とする請求項６に記載の方法。
【請求項１０】
前記あらかじめ決定された電力オフセット情報ＰＯｈｓｄｓｃｈは、下記の数学式により決定することを特徴とする請求項９に記載の方法。
【数式２】
2004040778.tif 000010
ここで、Ｐｏｗｅｒｈｓｄｓｃｈは高速順方向物理共有チャネルのコードあたりの電力を表し、ＭａｘＨＳＤＰＡＴｏｔａｌｐｏｗｅｒは全体ＨＳＤＰＡサービスのために割り当てられた電力を表し、ＭａｘＨＳ―ＳＣＣＨｐｏｗｅｒは高速共有制御チャネルに割り当てられた電力を表し、Ｎは高速順方向物理共有チャネルに使用される全体コードの数を表し、Ｐｏｗｅｒｃｐｉｃｈは共通パイロットチャネルに割り当てられた電力を表す。
【請求項１１】
基地局と、前記基地局により占有されるセル内にある移動端末と通信するための資源情報を管理するための前記基地局と接続されたＤＲＮＣと、前記ＤＲＮＣと接続され、前記移動端末に制御メッセージを伝送するためのＳＲＮＣと、を含むシステムにおいて、前記セル内にある移動端末と前記基地局との間に良好なチャネル性能の指示がなされるように前記基地局において高速順方向物理共有チャネルに関する電力オフセット情報を伝送する方法であって、
前記ＳＲＮＣから前記ＤＲＮＣに無線リンク設定要請を行う過程と；
前記ＤＲＮＣから前記基地局に全体ＨＳＤＰＡサービスのために割り当てられた電力を含む物理共有チャネル再設定要請メッセージを伝送する過程と；
前記基地局から前記ＤＲＮＣに前記物理共有チャネル再設定要請メッセージに対する応答メッセージを伝送する過程と；
前記ＤＲＮＣから前記基地局にＨＳＤＰＡサービス関連情報を含む無線リンク設定を要請するメッセージを伝送する過程と；
前記基地局が前記全体ＨＳＤＰＡサービスのために割り当てられた電力を勘案して前記電力オフセット情報を決定し、前記無線リンク設定を要請するメッセージに応答して前記電力オフセット情報を含む応答メッセージを前記ＤＲＮＣに伝送する過程と；
前記ＤＲＮＣから前記ＳＲＮＣに前記電力オフセット情報を含む無線リンク設定応答メッセージを伝送する過程と；
前記ＳＲＮＣから前記移動端末に前記電力オフセット情報を伝送する過程と；を含むことを特徴とする方法。
【請求項１２】
前記電力オフセット情報ＰＯｈｓｄｓｃｈは、下記の数学式により決定することを特徴とする請求項１１に記載の方法。
【数式３】
2004040778.tif 000011
ここで、Ｐｏｗｅｒｈｓｄｓｃｈは高速順方向物理共有チャネルのコードあたりの電力を表し、ＭａｘＨＳＤＰＡＴｏｔａｌｐｏｗｅｒは全体ＨＳＤＰＡサービスのために割り当てられた電力を表し、ＭａｘＨＳ―ＳＣＣＨｐｏｗｅｒは高速共有制御チャネルに割り当てられた電力を表し、Ｎは高速順方向物理共有チャネルに使用される全体コードの数を表し、Ｐｏｗｅｒｃｐｉｃｈは共通パイロットチャネルに割り当てられた電力を表す。
【請求項１３】
前記ＳＲＮＣは、前記移動端末との無線ベアラー設定時、前記電力オフセット情報を伝送することを特徴とする請求項１１に記載の方法。
【請求項１４】
基地局と、前記基地局により占有されるセル内にある移動端末と通信するための資源情報を管理するための前記基地局と接続されたＤＲＮＣと、前記ＤＲＮＣと接続され、前記移動端末に制御メッセージを伝送するためのＳＲＮＣと、を含むシステムにおいて、前記セル内にある移動端末と前記基地局との間に良好なチャネル性能の指示がなされるように前記基地局において高速順方向物理共有チャネルに関する電力オフセット情報を伝送する方法であって、
前記ＳＲＮＣから前記ＤＲＮＣに無線リンク再設定を準備させる過程と；
前記ＤＲＮＣから前記基地局に全体ＨＳＤＰＡサービスのために割り当てられた電力を含む物理共有チャネル再設定要請メッセージを伝送する過程と；
前記基地局から前記ＤＲＮＣに前記物理共有チャネル再設定要請メッセージに対する応答メッセージを伝送する過程と；
前記ＤＲＮＣから前記基地局にＨＳＤＰＡサービス関連情報を含む無線リンク再設定を準備させるメッセージを伝送する過程と；
前記基地局が前記全体ＨＳＤＰＡサービスのために割り当てられた電力を勘案して前記電力オフセット情報を決定し、前記無線リンク再設定を準備させるメッセージに応答したメッセージに前記電力オフセット情報を含めて前記ＤＲＮＣに伝送する過程と；
前記ＤＲＮＣから前記ＳＲＮＣに無線リンクを再設定する準備ができたことを知らせるメッセージに前記電力オフセット情報を含めて伝送する過程と；
前記ＳＲＮＣから前記移動端末に無線ベアラーの再設定を要請するメッセージに前記電力オフセット情報を含めて伝送する過程と；を含むことを特徴とする方法。
【請求項１５】
前記ＳＲＮＣは、前記無線リンクを再設定する準備ができたことを知らせるメッセージを受信すると、前記無線リンクの再設定を委託するメッセージを前記ＤＲＮＣに伝送する過程と；
前記ＳＲＮＣから伝送された無線リンクの再設定を委託するメッセージに応じて、前記ＤＲＮＣは、前記基地局に前記無線リンクの再設定を委託するメッセージを伝送する過程と；をさらに含むことを特徴とする請求項１４に記載の方法。
【請求項１６】
前記電力オフセット情報ＰＯｈｓｄｓｃｈは、下記の数学式により決定することを特徴とする請求項１４に記載の方法。
【数式４】
2004040778.tif 000012
ここで、Ｐｏｗｅｒｈｓｄｓｃｈは高速順方向物理共有チャネルのコードあたりの電力を表し、ＭａｘＨＳＤＰＡＴｏｔａｌｐｏｗｅｒは全体ＨＳＤＰＡサービスのために割り当てられた電力を表し、ＭａｘＨＳ―ＳＣＣＨｐｏｗｅｒは高速共有制御チャネルに割り当てられた電力を表し、Ｎは高速順方向物理共有チャネルに使用される全体コードの数を表し、Ｐｏｗｅｒｃｐｉｃｈは共通パイロットチャネルに割り当てられた電力を表す。
【請求項１７】
基地局と、前記基地局により占有されるセル内にある移動端末と通信するための資源情報を管理するための前記基地局と接続されたＤＲＮＣと、前記ＤＲＮＣと接続され、前記移動端末に制御メッセージを伝送するためのＳＲＮＣと、を含むシステムにおいて、前記セル内にある移動端末と前記基地局との間に良好なチャネル性能の指示がなされるように前記ＤＲＮＣにおいて高速順方向物理共有チャネルに関する電力オフセット情報を伝送する方法であって、
共通パイロットチャネルに割り当てられた電力と前記高速順方向物理共有チャネルに割り当てられた電力との比率を勘案して前記電力オフセット情報を決定する過程と；
前記基地局に前記電力オフセット情報を含むＮＢＡＰメッセージを伝送する過程と；
前記ＳＲＮＣに前記電力オフセット情報を含むＲＮＳＡＰメッセージを伝送する過程と；を含み、
前記ＳＲＮＣがＲＲＣメッセージに前記電力オフセット情報を含めて前記移動端末に伝送するようにすることを特徴とする方法。
【請求項１８】
前記電力オフセット情報ＰＯｈｓｄｓｃｈは、下記の数学式により決定することを特徴とする請求項１７に記載の方法。
【数式５】
2004040778.tif 000013
ここで、Ｐｏｗｅｒｈｓｄｓｃｈは高速順方向物理共有チャネルのコードあたりの電力を表し、ＭａｘＨＳＤＰＡＴｏｔａｌｐｏｗｅｒは全体ＨＳＤＰＡサービスのために割り当てられた電力を表し、ＭａｘＨＳ―ＳＣＣＨｐｏｗｅｒは高速共有制御チャネルに割り当てられた電力を表し、Ｎは高速順方向物理共有チャネルに使用される全体コードの数を表し、Ｐｏｗｅｒｃｐｉｃｈは共通パイロットチャネルに割り当てられた電力を表す。
【請求項１９】
基地局と、前記基地局により占有されるセル内にある移動端末と通信するための資源情報を管理するための前記基地局と接続されたＤＲＮＣと、前記ＤＲＮＣと接続され、前記移動端末に制御メッセージを伝送するためのＳＲＮＣと、を含むシステムにおいて、前記セル内にある移動端末と前記基地局との間に良好なチャネル性能の指示がなされるように前記基地局において高速順方向物理共有チャネルに関する電力オフセット情報を伝送する方法であって、
前記ＤＲＮＣからＮＢＡＰメッセージを通じて全体ＨＳＤＰＡサービスのために割り当てられた電力情報を受信する過程と；
前記全体ＨＳＤＰＡサービスのために割り当てられた電力情報に基づいて定められる前記高速順方向物理共有チャネルに割り当てられた電力と共通パイロットチャネルに割り当てられた電力との比率を勘案して前記電力オフセット情報を決定する過程と；
前記ＤＲＮＣに前記電力オフセット情報を含むＮＢＡＰメッセージを伝送する過程と；を含み、
前記ＤＲＮＣがＲＮＳＡＰメッセージに前記電力オフセット情報を含めて前記ＳＲＮＣに伝送し、前記ＳＲＮＣがＲＲＣメッセージに前記電力オフセット情報を含めて前記移動端末に伝送するようにすることを特徴とする方法。
【請求項２０】
前記電力オフセット情報ＰＯｈｓｄｓｃｈは、下記の数学式により決定することを特徴とする請求項１９に記載の方法。
【数式６】
2004040778.tif 000014
ここで、Ｐｏｗｅｒｈｓｄｓｃｈは高速順方向物理共有チャネルのコードあたりの電力を表し、ＭａｘＨＳＤＰＡＴｏｔａｌｐｏｗｅｒは全体ＨＳＤＰＡサービスのために割り当てられた電力を表し、ＭａｘＨＳ―ＳＣＣＨｐｏｗｅｒは高速共有制御チャネルに割り当てられた電力を表し、Ｎは高速順方向物理共有チャネルに使用される全体コードの数を表し、Ｐｏｗｅｒｃｐｉｃｈは共通パイロットチャネルに割り当てられた電力を表す。
【発明の詳細な説明】
【技術分野】
【０００１】
本発明は、高速順方向パケット接続（Ｈｉｇｈ―ＳｐｅｅｄＤｏｗｎ―ｌｉｎｋＰａｃｋｅｔＡｃｃｅｓｓ；以下、“ＨＳＤＰＡ”と称する）方式が使用される符号分割多重接続移動通信システムにおける順方向パケット通信方法に関し、特に、高速順方向物理共有チャネル（ＨｉｇｈＳｐｅｅｄＤｏｗｎｌｉｎｋＰｈｙｓｉｃａｌＳｈａｒｅｄＣｈａｎｎｅｌ；以下、“ＨＳ−ＰＤＳＣＨ”と称する）の電力を割り当てる方法に関する。
【背景技術】
【０００２】
最近、移動通信システムは、初期の音声中心のサービスを提供する段階から脱してデータサービスおよびマルチメディアサービス提供のための高速・高品質の無線データパケットサービスを支援する移動通信システムに発展してきている。現在、非同期方式（３ＧＰＰ）と同期方式（３ＧＰＰ２）に二分される第３世代移動通信システムは、高速・高品質の無線データパケットサービスのための標準化作業がなされている。その一例に、３ＧＰＰではＨＳＤＰＡ（ＨｉｇｈＳｐｅｅｄＤｏｗｎｌｉｎｋＰａｃｋｅｔＡｃｃｅｓｓ；以下、“ＨＳＤＰＡ”と称する）に対する標準化作業が進行中にあり、３ＧＰＰ２では１ｘＥＶ−ＤＶに対する標準化作業が進行中にある。これら標準化作業は、第３世代移動通信システムで２Ｍｂｐｓ以上の高速・高品質の無線データパケット伝送サービスを提供するための代表的な例とされている。第４世代移動通信システムはそれ以上の高速、高品質のマルチメディアサービス提供をベースとしている。
【０００３】
図１は非同期符号分割多重接続移動通信システムで運用される一つのセル構成を示す図である。図１に示すように、基地局１０１と端末１０４、１０６、１０８は、それらの間にそれぞれ定められた順方向または逆方向チャネルを通じて通信を行う。前記ＨＳＤＰＡで使用される順方向物理チャネルは共通パイロットチャネル（ＣＰＩＣＨ）、主共通制御チャネル（Ｐ−ＣＣＣＨ）、副共通制御チャネル（Ｓ−ＣＣＣＨ）、高速順方向物理共有チャネル（ＨＳ−ＰＤＳＣＨ）、高速共有制御チャネル（ＨＳ−ＳＣＣＨ）のような共通チャネル（ｃｏｍｍｏｎｃｈａｎｎｅｌ）と、一つの端末により専用される専用物理チャネル（ＤｅｄｉｃａｔｅＰｈｙｓｉｃａｌＣｈａｎｎｅｌ）に大きく区分される。
【０００４】
前記基地局１０１は、前述の順方向物理チャネルを送信する。前記図１において参照番号１０３、１０５、１０７、１０９は前記順方向物理チャネルをその種類によって矢印でそれぞれ表したものである。前記順方向物理チャネルのうち、参照番号１０３は、共通パイロットチャネル、主共通制御チャネル、副共通制御チャネル、その他指示チャネルなどの共通チャネルを表す。基地局１０１は、前記各共通チャネルの信号がセルの境界面１０２まで到達できるように電力を割り当てて前記端末１０４、１０６、１０８に送信する。これは、前記共通チャネルを、前記セル内にある全ての端末が受信できなければならないからである。したがって、前記各共通チャネルは、基地局が電力を割り当てるにあって時間による変化が大きくない。
【０００５】
また、参照番号１０５、１０７は、前記順方向物理チャネルのうち専用物理チャネルを表している。参照番号１０５で表された矢印は、端末１０４と通信する専用物理チャネルであり、参照番号１０７で表された矢印は端末１０６と通信する専用物理チャネルである。前記専用物理チャネルに割り当てられる電力は通信している端末のみ受けることができるように割り当てられる。したがって、前記図１に示すように、端末１０４に比べて相対的に基地局１０１との距離が遠い端末１０６に対して少し多くの専用物理チャネルの電力が割り当てられなければならない。上記の専用物理チャネルは継続して電力制御がなされる。また、前記専用物理チャネル自体が容易に生成されたり消えたりするため、それらの専用物理チャネルに割り当てられる送信電力は経時変化する。
端末１０８は、ＨＳＤＰＡサービスを受ける端末を表す。図１で参照番号１０９は、高速物理順方向共有チャネルまたは高速共有制御チャネルを示している。前記端末１０８は、前記高速物理順方向共有チャネルまたは高速共有制御チャネル１０９を受信するようになる。前記高速物理順方向共有チャネルも経時的に端末の数あるいは要求するサービスが変わることがあり、割り当てられる送信電力が変わる。
【０００６】
この理由から、基地局１０１は、使用可能な全体送信電力から前記共通チャネルに割り当てられた電力を引いた残りの電力の範囲内で専用物理チャネルおよびＨＳＤＰＡ用全体電力を割り当てることになる。前記割り当てられるＨＳＤＰＡ用全体電力は、状況に応じてＣＲＮＣ（ＣｏｎｔｒｏｌｌｉｎｇＲＮＣ（ＲａｄｉｏＮｅｔｗｏｒｋＣｏｎｔｒｏｌｌｅｒ））により決定される。前記ＣＲＮＣは、状況の変化に応じて前記ＨＳＤＰＡ用全体電力を変えることになる。前記ＣＲＮＣは状況に応じて変化する前記ＨＳＤＰＡ全体電力を、ＮＢＡＰ（ＮｏｄｅＢＡｐｐｌｉｃａｔｉｏｎＰａｒｔ）メッセージであるＰＨＹＳＩＣＡＬＳＨＡＲＥＤＣＨＡＮＮＥＬＲＥＣＯＮＦＩＧＵＲＡＴＩＯＮＲＥＱＵＥＳＴを通じて、基地局であるＮｏｄｅＢに知らせることができる。前記ＮＢＡＰメッセージには“ＨＳ＿ＰＤＳＣＨａｎｄＨＳ―ＳＣＣＨＴｏｔａｌＰｏｗｅｒ”という情報成分（ＩｎｆｏｒｍａｔｉｏｎＥｌｅｍｅｎｔ：以下、“ＩＥ”と称する）で前記ＨＳＤＰＡ用全体電力を示している。
【０００７】
図２では、基地局１０１が使用する全体送信電力の時間による比率をグラフで例示した。前記図２において参照番号２０１で表した横軸が時間の変化を意味し、参照番号２０２で表した縦軸が基地局におけるチャネル別割当電力を意味する。参照番号２０７で表した値は、前記基地局が使用可能な全体送信電力である。参照番号２０３は共通パイロットチャネルに割り当てられる電力であり、参照番号２０４は主共通制御チャネル、副共通制御チャネルなどのその他の共通チャネルに割り当てられる電力である。前記２０３と前記２０４は時間的に殆ど変化がないと言える。しかし、前記２０３と前記２０４で示す共通チャネルに対する電力割当比率はセルの特性によって可変する。すなわち、セルの半径または地理的環境によって全体基地局電力２０７に対する、前記共通チャネルに割り当てられなければならない電力２０３、２０４が可変するのである。
【０００８】
一方、前記共通チャネルに割り当てられた電力以外の基地局電力は、専用物理チャネルとＨＳＤＰＡサービス用に割り当てられなければならない。前記図２で参照番号２０５が専用物理チャネルに割り当てられる電力で、参照番号２０６がＨＳＤＰＡサービス用に割り当てられる電力である。前記専用物理チャネルに割り当てられる電力２０５は前記図２の参照番号２１０、２１１、２１２で示すように、基地局の状況によって非定期的に変化する。
【０００９】
図３および図４は、ＨＳＤＰＡサービスのために使用される逆方向チャネルの構造と順方向チャネルの構造をそれぞれ示している。
図３は、ＨＳＤＰＡサービスのために使用される逆方向チャネルである高速専用物理制御チャネル（ＨｉｇｈＳｐｅｅｄＤｅｄｉｃａｔｅｄＰｈｙｓｉｃａｌＣｏｎｔｒｏｌＣｈａｎｎｅｌ：以下、“ＨＳ−ＤＰＣＣＨ”と称する）の構造を示している。図３に示すように、ＨＳ−ＤＰＣＣＨは複数のサブフレーム３０１から構成される。長さ１０ｍｓの一つのラジオフレーム３０２が５個のサブフレームから構成されているとする場合、前記サブフレームは２ｍｓの長さを有する。一つのサブフレームは３個のタイムスロットから構成される。前記３個のタイムスロットのうち一番目のタイムスロット３０３は複合再伝送（ＨＡＲＱ）のためのＡＣＫ／ＮＡＣＫ信号の伝送のために割り当てられ、他の２個のタイムスロット３０４はチャネル品質指示（ＣｈａｎｎｅｌＱｕａｌｉｔｙＩｎｄｉｃａｔｉｏｎ：以下、“ＣＱＩ”と称する）のために割り当てられる。
【００１０】
前記ＣＱＩは端末により決定され、ＨＳ−ＰＤＳＣＨの品質を表す時に使用される。前記端末は、ＣＰＩＣＨの信号対干渉比率（ＳｉｇｎａｌｔｏＩｎｔｅｒｆｅｒｅｎｃｅＲａｔｉｏ：以下、“ＳＩＲ”と称する）を測定し、前記ＣＰＩＣＨの受信電力と前記ＨＳ−ＰＤＳＣＨの受信電力との比率を利用して前記ＨＳ−ＰＤＳＣＨのＳＩＲを予測して前記ＣＱＩを決定する。したがって、前記端末は、前記ＣＱＩを決定するために前記ＣＰＩＣＨのＳＩＲ、および前記ＣＰＩＣＨの受信電力と前記ＨＳ−ＰＤＳＣＨの受信電力との比率を知っていなければならない。ここでＣＰＩＣＨのＳＩＲは端末内部で測定可能である。前記ＣＰＩＣＨの受信電力と前記ＨＳ−ＰＤＳＣＨの受信電力との比率は前記ＣＰＩＣＨの送信電力と前記ＨＳ−ＰＤＳＣＨの送信電力との比率と同一である。以下、前記ＣＰＩＣＨの受信電力と前記ＨＳ−ＰＤＳＣＨの受信電力との比率、または前記ＣＰＩＣＨの送信電力と前記ＨＳ−ＰＤＳＣＨの送信電力との比率を“ＨＳ−ＰＤＳＣＨ電力オフセット”と称する。以下では説明の便宜のために‘ＣＰＩＣＨの電力’はＣＰＩＣＨの送信電力またはＣＰＩＣＨの受信電力のいずれかを意味し、‘ＨＳ−ＰＤＳＣＨの電力’はＨＳ−ＰＤＳＣＨの送信電力またはＨＳ−ＰＤＳＣＨの受信電力のいずれかを意味するものとする。ただし、前記ＣＰＩＣＨの電力をＣＰＩＣＨの送信電力と解釈する時には前記ＨＳ−ＰＤＳＣＨの電力も同様にＨＳ−ＰＤＳＣＨの送信電力として解釈すべきことに留意されたい。前記ＣＰＩＣＨの電力は、セルの特性によって異なる値を持つ。また、図２の参照番号２０６で示したように、ＨＳＤＰＡに割り当てられた電力も経時的に変わることになる。したがって、前記ＨＳ−ＰＤＳＣＨ電力オフセットもまた、固定された値でなく、セルの種類、時間状況、共通チャネルの電力などによって可変する値である。
【００１１】
図４は、ＨＳＤＰＡサービスのために使用される順方向チャネルの構造を示している。図４において参照番号４１０はＨＳ−ＳＣＣＨの構造を示し、参照番号４２０はＨＳ−ＰＤＳＣＨの構造を示している。前記ＨＳ−ＳＣＣＨ４１０と前記ＨＳ−ＰＤＳＣＨ４２０においてサブフレームは２ｍｓの長さを持ち、３個のタイムスロットから構成される。前記ＨＳ−ＰＤＳＣＨにおいてサブフレームの伝送開始は、前記ＨＳ−ＳＣＣＨにおいて三番目のタイムスロットの伝送が始まる時点でなされる。
【００１２】
図３および図４に示したとおり、端末はＣＰＩＣＨにより測定されるＣＱＩをＨＳ−ＤＰＣＣＨを通じて基地局に伝送する。この時、前記ＣＱＩは前記ＣＰＩＣＨにより決定されることからＨＳ−ＰＤＳＣＨに適用されるＣＱＩとオフセット（ＨＳ−ＰＤＳＣＨ電力オフセット）が発生することがある。この問題を解決するためには、前記ＣＰＩＣＨにより決定されたＣＱＩにＨＳ−ＰＤＳＣＨ電力オフセットを反映して正確なＣＱＩを新規に定義する必要がある。また、前記基地局と前記端末は前記ＨＳ−ＰＤＳＣＨ電力オフセットを知っている必要がある。
したがって、前記ＨＳ−ＰＤＳＣＨ電力オフセットを決定する方案と、前記ＨＳ−ＰＤＳＣＨ電力オフセットを移動通信システムで共有可能にするための信号処理過程が新規に定義される必要がある。
【考案の開示】
【発明が解決しようとする課題】
【００１３】
したがって、本発明は、上記の問題点に鑑みてなされたものであり、その目的は、移動通信システムの性能を高めるために基地局と端末で高速順方向物理共有チャネルに割り当てられた電力を正確に判断する方法を提供することにある。
本発明の他の目的は、移動通信システムで高速順方向物理共有チャネルそれぞれに割り当てる電力を決定する方法を提供することにある。
本発明のさらに他の目的は、移動通信システムで高速順方向物理共有チャネルそれぞれに割り当てる電力オフセットを決定する方法を提供することにある。
本発明のさらに他の目的は、高速順方向物理共有チャネルの電力オフセットを基地局、無線網制御機（ＲａｄｉｏＮｅｔｗｏｒｋＣｏｎｔｒｏｌｌｅｒ；以下、“ＲＮＣ”と称する）および端末の間でシグナリング（ｓｉｇｎａｌｉｎｇ）する方法を提供することにある。
【００１４】
本発明のさらに他の目的は、共通パイロットチャネルにより測定されるチャネル品質を電力オフセットにより補償して高速順方向物理共有チャネルに対するチャネル品質として使用する方法を提供することにある。
本発明のさらに他の目的は、共通パイロットチャネルの送信電力と高速順方向物理共有チャネルの送信電力の差を勘案した電力オフセットをＤＲＮＣ（ＤｒｉｆｔＲＮＣ）により決定する方法を提供することにある。
本発明のさらに他の目的は、共通パイロットチャネルの送信電力と高速順方向物理共有チャネルの送信電力の差を勘案した電力オフセットを基地局により決定する方法を提供することにある。
本発明のさらに他の目的は、ＤＲＮＣにより決定した電力オフセットを基地局と移動端末に伝達するためのシグナリング方法を提供することにある。
本発明のさらに他の目的は、基地局により決定した電力オフセットを移動端末に伝達するためのシグナリング方法を提供することにある。
【課題を解決するための手段】
【００１５】
上記の目的を達成するための第１見地において、本発明は、基地局と、前記基地局により占有されるセル内にある移動端末と通信するための資源情報を管理するための前記基地局と接続されたＤＲＮＣと、前記ＤＲＮＣと接続され、前記移動端末に制御メッセージを伝送するためのＳＲＮＣと、を含むシステムにおいて、前記セル内にある移動端末と前記基地局との間に良好なチャネル性能の指示がなされるように前記ＤＲＮＣにおいて高速順方向物理共有チャネルに関してあらかじめ決定された電力オフセット情報を伝送する方法であって、前記ＳＲＮＣから前記ＤＲＮＣに無線リンク設定要請を行う過程と、前記ＤＲＮＣから前記基地局に前記電力オフセット情報を含む無線リンク設定要請メッセージを伝送する過程と、前記ＤＲＮＣから前記ＳＲＮＣに前記電力オフセット情報を含む無線リンク設定応答メッセージを伝送する過程と、前記ＳＲＮＣから前記移動端末に前記電力オフセット情報を伝送する過程と、を含むことを特徴とする。
【００１６】
上記の目的を達成するための第２見地において、本発明は、基地局と、前記基地局により占有されるセル内にある移動端末と通信するための資源情報を管理するための前記基地局と接続されたＤＲＮＣと、前記ＤＲＮＣと接続され、前記移動端末に制御メッセージを伝送するためのＳＲＮＣと、を含むシステムにおいて、前記セル内にある移動端末と前記基地局との間に良好なチャネル性能の指示がなされるように前記ＤＲＮＣにおいて高速順方向物理共有チャネルに関してあらかじめ決定された電力オフセット情報を伝送する方法であって、前記ＳＲＮＣから前記ＤＲＮＣに無線リンク再設定準備を要請する過程と、前記ＤＲＮＣから前記基地局に無線リンクの再設定を準備させるメッセージに前記電力オフセット情報を含めて伝送する過程と、前記ＤＲＮＣから前記ＳＲＮＣに無線リンクを再設定する準備ができたことを知らせるメッセージに前記電力オフセット情報を含めて伝送する過程と、前記ＳＲＮＣから前記移動端末に無線ベアラーの再設定を要請するメッセージに前記電力オフセット情報を含めて伝送する過程と、を含むことを特徴とする。
【００１７】
上記の目的を達成するための第３見地において、本発明は、基地局と、前記基地局により占有されるセル内にある移動端末と通信するための資源情報を管理するための前記基地局と接続されたＤＲＮＣと、前記ＤＲＮＣと接続され、前記移動端末に制御メッセージを伝送するためのＳＲＮＣと、を含むシステムにおいて、前記セル内にある移動端末と前記基地局との間に良好なチャネル性能の指示がなされるように前記基地局において高速順方向物理共有チャネルに関する電力オフセット情報を伝送する方法であって、前記ＳＲＮＣから前記ＤＲＮＣに無線リンク設定要請を行う過程と、前記ＤＲＮＣから前記基地局に全体ＨＳＤＰＡサービスのために割り当てられた電力を含む物理共有チャネル再設定要請メッセージを伝送する過程と、前記基地局から前記ＤＲＮＣに前記物理共有チャネル再設定要請メッセージに対する応答メッセージを伝送する過程と、前記ＤＲＮＣから前記基地局にＨＳＤＰＡサービス関連情報を含む無線リンク設定を要請するメッセージを伝送する過程と、前記基地局が前記全体ＨＳＤＰＡサービスのために割り当てられた電力を勘案して前記電力オフセット情報を決定し、前記無線リンク設定を要請するメッセージに応答して前記電力オフセット情報を含む応答メッセージを前記ＤＲＮＣに伝送する過程と、前記ＤＲＮＣから前記ＳＲＮＣに前記電力オフセット情報を含む無線リンク設定応答メッセージを伝送する過程と、前記ＳＲＮＣから前記移動端末に前記電力オフセット情報を伝送する過程と、を含むことを特徴とする。
【００１８】
上記の目的を達成するための第４見地において、本発明は、基地局と、前記基地局により占有されるセル内にある移動端末と通信するための資源情報を管理するための前記基地局と接続されたＤＲＮＣと、前記ＤＲＮＣと接続され、前記移動端末に制御メッセージを伝送するためのＳＲＮＣと、を含むシステムにおいて、前記セル内にある移動端末と前記基地局との間に良好なチャネル性能の指示がなされるように前記基地局において高速順方向物理共有チャネルに関する電力オフセット情報を伝送する方法であって、前記ＳＲＮＣから前記ＤＲＮＣに無線リンク再設定を準備させる過程と、前記ＤＲＮＣから前記基地局に全体ＨＳＤＰＡサービスのために割り当てられた電力を含む物理共有チャネル再設定要請メッセージを伝送する過程と、前記基地局から前記ＤＲＮＣに前記物理共有チャネル再設定要請メッセージに対する応答メッセージを伝送する過程と、前記ＤＲＮＣから前記基地局にＨＳＤＰＡサービス関連情報を含む無線リンク再設定を準備させるメッセージを伝送する過程と、前記基地局が前記全体ＨＳＤＰＡサービスのために割り当てられた電力を勘案して前記電力オフセット情報を決定し、前記無線リンク再設定を準備させるメッセージに応答したメッセージに前記電力オフセット情報を含めて前記ＤＲＮＣに伝送する過程と、前記ＤＲＮＣから前記ＳＲＮＣに無線リンクを再設定する準備ができたことを知らせるメッセージに前記電力オフセット情報を含めて伝送する過程と、前記ＳＲＮＣから前記移動端末に無線ベアラーの再設定を要請するメッセージに前記電力オフセット情報を含めて伝送する過程と、を含むことを特徴とする。
【００１９】
上記の目的を達成するための第５見地において、本発明は、基地局と、前記基地局により占有されるセル内にある移動端末と通信するための資源情報を管理するための前記基地局と接続されたＤＲＮＣと、前記ＤＲＮＣと接続され、前記移動端末に制御メッセージを伝送するためのＳＲＮＣと、を含むシステムにおいて、前記セル内にある移動端末と前記基地局との間に良好なチャネル性能の指示がなされるように前記ＤＲＮＣにおいて高速順方向物理共有チャネルに関する電力オフセット情報を伝送する方法であって、共通パイロットチャネルに割り当てられた電力と前記高速順方向物理共有チャネルに割り当てられた電力との比率を勘案して前記電力オフセット情報を決定する過程と、前記基地局に前記電力オフセット情報を含むＮＢＡＰメッセージを伝送する過程と、前記ＳＲＮＣに前記電力オフセット情報を含むＲＮＳＡＰメッセージを伝送する過程と、を含み、前記ＳＲＮＣがＲＲＣメッセージに前記電力オフセット情報を含めて前記移動端末に伝送するようにすることを特徴とする。
【００２０】
上記の目的を達成するための第６見地において、本発明は、基地局と、前記基地局により占有されるセル内にある移動端末と通信するための資源情報を管理するための前記基地局と接続されたＤＲＮＣと、前記ＤＲＮＣと接続され、前記移動端末に制御メッセージを伝送するためのＳＲＮＣとを含むシステムにおいて、前記セル内にある移動端末と前記基地局との間に良好なチャネル性能の指示がなされるように前記基地局において高速順方向物理共有チャネルに関する電力オフセット情報を伝送する方法であって、前記ＤＲＮＣからＮＢＡＰメッセージを通じて全体ＨＳＤＰＡサービスのために割り当てられた電力情報を受信する過程と、前記全体ＨＳＤＰＡサービスのために割り当てられた電力情報により定められた前記高速順方向物理共有チャネルに割り当てられた電力と共通パイロットチャネルに割り当てられた電力との比率を勘案して前記電力オフセット情報を決定する過程と、前記ＤＲＮＣに前記電力オフセット情報を含むＮＢＡＰメッセージを伝送する過程と、を含み、前記ＤＲＮＣがＲＮＳＡＰメッセージに前記電力オフセット情報を含めて前記ＳＲＮＣに伝送し、前記ＳＲＮＣがＲＲＣメッセージに前記電力オフセット情報を含めて前記移動端末に伝送するようにすることを特徴とする。
【発明の効果】
【００２１】
本発明は、高速順方向パケット接続方式において一つの基地局が各高速物理順方向共有チャネルに割り当てる電力を決定できるようにすることから、基地局と端末はＨＳ−ＰＤＳＣＨに割り当てられた電力を正確に判断できるため、ＨＳＤＰＡシステム全体の性能を高めることができる。
以上では具体的な実施例に上げて説明してきたが、これに限定されることなく特許請求の範囲で定義した範囲内で本発明を様々に変更して実施できることは、当分野で通常の知識をもつ者にとって自明であろう。
【発明を実施するための最良の形態】
【００２２】
以下、本発明ではＨＳＤＰＡサービスのためにＨＳ−ＰＤＳＣＨ電力オフセットを決定する方法、およびＮｏｄｅＢと端末が前記定められたＨＳ−ＰＤＳＣＨ電力オフセットを共有できる信号処理過程に対する実施例を詳細に説明する。
１．第１実施例
後述する本発明の第１実施例では、ＨＳ−ＰＤＳＣＨ電力オフセットを決定する主体が、前記ＨＳ−ＰＤＳＣＨを送信するＮｏｄｅＢを制御するＣＲＮＣとなる。次に、前記ＣＲＮＣが、ＮＢＡＰメッセージを通じてＮｏｄｅＢに前記ＨＳ−ＰＤＳＣＨ電力オフセットを伝送し、ＲＮＳＡＰ（ＲａｄｉｏＮｅｔｗｏｒｋＳｙｓｔｅｍＡｐｐｌｉｃａｔｉｏｎＰａｒｔ）またはＲＲＣ（ＲａｄｉｏＲｅｓｏｕｒｃｅＣｏｎｔｒｏｌ）メッセージを通じてＵＥに前記ＨＳ−ＰＤＳＣＨ電力オフセットを伝送する方法を説明する。
【００２３】
上記の従来技術（図１ないし図４）に説明した通り、ＣＲＮＣは前記ＮｏｄｅＢで使用可能な全体電力の範囲内でＨＳＤＰＡサービスに割り当てる電力を決定する。すなわち、ＨＳ−ＳＣＣＨとＨＳ−ＰＤＳＣＨの使用可能な最大送信電力をＣＲＮＣが定め、その情報を保持する。本発明の要旨は、前記ＣＲＮＣが知っているＨＳＤＰＡサービスに割り当てる電力、つまり、ＨＳ−ＳＣＣＨとＨＳ−ＰＤＳＣＨの最大送信電力情報を用いて前記ＨＳ−ＰＤＳＣＨ電力オフセットを決定することにある。本実施例はＣＲＮＣにより決定されるＨＳ−ＰＤＳＣＨ電力オフセットを既に前記ＣＲＮＣにより定められているＨＳ−ＳＣＣＨとＨＳ−ＰＤＳＣＨの最大送信電力情報の関数として定義する。すなわち、前記ＨＳ−ＳＣＣＨとＨＳ−ＰＤＳＣＨの最大送信電力値と前記ＮｏｄｅＢにおけるＣＰＩＣＨ送信電力、前記ＮｏｄｅＢが使用するＨＳ−ＰＤＳＣＨ全体コード数などのようにＣＲＮＣが知っている情報に基づいて前記ＨＳ−ＰＤＳＣＨ電力オフセットを設定する。
【００２４】
図５は、本発明の一実施例に係るＨＳ−ＰＤＳＣＨ電力オフセットを決定するブロックを示している。図５において、参照番号５０１、５０２、５０３、５０４それぞれは前記ＨＳ−ＰＤＳＣＨ電力オフセットを決定する変数である。これら変数は、ＣＲＮＣが有している情報である。前記参照番号５０１は、ＮｏｄｅＢでＨＳＤＰＡサービスのために割り当てられた全体電力情報である。前記参照番号５０２は、前記ＮｏｄｅＢから送信されるＣＰＩＣＨの電力情報である。前記参照番号５０３は、ＨＳ−ＰＤＳＣＨに使用される全体コードの数であり、前記参照番号５０４はその他のＣＲＮＣが有している情報である。これらの変数に基づき、ＨＳ−ＰＤＳＣＨ電力オフセット５０６が任意の関数５０５を通じて得られる。下記の数学式（１ａ），（１ｂ）は、前記ＨＳ−ＰＤＳＣＨ電力オフセットを決定する一例になり得る。
【００２５】
【数式７】
2004040778.tif 000003
【００２６】
前記数学式（１ａ），（１ｂ）において、ＰｏｗｅｒｈｓｄｓｃｈがＨＳ−ＰＤＳＣＨのコードあたり電力となり、ＭａｘＨＳＤＰＡＴｏｔａｌｐｏｗｅｒは全体ＨＳＤＰＡサービスのために割り当てられた最大送信電力である。ＭａｘＨＳ―ＳＣＣＨｐｏｗｅｒはＨＳ−ＳＣＣＨに割り当てられた最大送信電力であり、ＮはＨＳ−ＰＤＳＣＨに使用される全体コードの数である。ＰｏｗｅｒｃｐｉｃｈはＣＰＩＣＨに割り当てられた送信電力であり、ＰｏｗｅｒｈｓｄｓｃｈはコードあたりＨＳ−ＰＤＳＣＨの電力オフセットになる。すなわち、前記Ｐｏｗｅｒｈｓｄｓｃｈ５０６は、前記ＭａｘＨＳＤＰＡＴｏｔａｌｐｏｗｅｒ情報５０１に比例し、前記Ｐｏｗｅｒｃｐｉｃｈ情報５０２と前記ＨＳ−ＰＤＳＣＨに使用される全体コードの数５０３に反比例する関数を取る。
本実施例では、前記図５で説明したＨＳ−ＰＤＳＣＨ基準電力オフセット決定ブロックがＣＲＮＣに含まれる。
このように決定された前記ＨＳ−ＰＤＳＣＨ電力オフセット情報は、ＮｏｄｅＢと端末に伝達されなければならない。
【００２７】
図６および図７では、前記ＣＲＮＣにより決定されたＨＳ−ＰＤＳＣＨ電力オフセットをＮｏｄｅＢと端末に伝達する過程を示している。図６および図７を参照して後述される説明において、ＲＮＣどうし間には“ＲＮＳＡＰメッセージ”が使用され、ＤＲＮＣとＮｏｄｅＢの間には“ＮＢＡＰメッセージ”が使用される。前記ＮｏｄｅＢとＵＥの間には“ＲＲＣメッセージ”が使用される。
図６は、本発明の一実施例に係る移動通信システムでＨＳ−ＰＤＳＣＨ電力オフセット情報を伝達するための信号処理を示す図である。図６を参照すれば、ＮｏｄｅＢ６０２はＤＲＮＣ６０３にＩｕｂで連結されており、前記ＤＲＮＣ６０３はＳＲＮＣ（ＳｅｒｖｉｎｇＲａｄｉｏＡｃｃｅｓｓＣｏｎｔｒｏｌｌｅｒ）６０４とＩｕｒで連結されている。また、前記ＤＲＮＣ６０３は、前記ＮｏｄｅＢ６０２のＣＲＮＣとなる。
【００２８】
図６を参照すれば、ＳＲＮＣ６０４はＤＲＮＣ６０３に無線リンク設定を要請するＲＡＤＩＯＬＩＮＫＳＥＴＵＰＲＥＱＵＥＳＴメッセージ６１０を送る。前記ＲＡＤＩＯＬＩＮＫＳＥＴＵＰＲＥＱＵＥＳＴメッセージ６１０には端末６０１とＮｏｄｅＢ６０２間に取り交されるＨＳＤＰＡに関連した情報が含まれている。前記ＨＳＤＰＡに関連した情報には、ＨＳ−ＤＳＣＨ情報、ＨＳ−ＰＤＳＣＨＲＬＩＤ（ＲａｄｉｏＬｉｎｋＩｄｅｎｔｉｆｉｅｒ）などが含まれる。前記ＲＮＳＡＰメッセージ６１０を受け取ったＤＲＮＣ６０３（または、ＣＲＮＣ）は、前記ＲＮＳＡＰメッセージ６１０を分析して前記ＨＳＤＰＡに関連した情報を獲得する。前記ＤＲＮＣ６０３は前記獲得したＨＳＤＰＡに関連した情報と前記ＤＲＮＣ６０３が持っている追加情報を無線リンク設定を要請するＲＡＤＩＯＬＩＮＫＳＥＴＵＰＲＥＱＵＥＳＴメッセージ６１１を通じて前記ＮｏｄｅＢ６０２に伝送する。前記ＮＢＡＰメッセージ６１１に含まれた情報には、ＨＳ−ＤＳＣＨ情報、ＨＳ−ＰＤＳＣＨＲＬＩＤ、ＨＳ−ＤＳＣＨ−ＲＮなどがある。前記ＮＢＡＰメッセージ６１１を通じて前記ＤＲＮＣ（ＣＲＮＣ）６０３は決定されたＨＳ−ＰＤＳＣＨ電力オフセットを送ることができる。前記ＨＳ−ＰＤＳＣＨ電力オフセットを“ＰＯｈｓｄｓｃｈ”と定義すると、前記ＰＯｈｓｄｓｃｈＩＥをＨＳ―ＤＳＣＨＩｎｆｏｒｍａｔｉｏｎＩＥ内に含ませる方法を使用することができる。下記の＜表１＞は、ＨＳ―ＤＳＣＨＩｎｆｏｒｍａｔｉｏｎＩＥを示す。最後の列に含まれているＩＥのＰＯｈｓｄｓｃｈが前記ＨＳ−ＰＤＳＣＨ電力オフセット情報を表す。前記ＩＥのＩＥｔｙｐｅａｎｄｒｅｆｅｒｅｎｃｅはＨＳ−ＰＤＳＣＨ電力オフセット情報の可能な値によって決定される。本実施例では３から１５までの値を使用するものとした。また、本実施例では前記ＰＯｈｓｄｓｃｈ情報を一つのコードを使用するＨＳ−ＰＤＳＣＨの電力オフセット情報として仮定した。また、前記ＰＯｈｓｄｓｃｈ情報は一つのＮｏｄｅＢが使用する全てのＨＳ−ＰＤＳＣＨの電力オフセットと定義してもいい。この場合には、前記ＮｏｄｅＢがＨＳ−ＰＤＳＣＨのために使用するコードの数を端末に知らせる必要がある。
【００２９】
【表１】
2004040778.tif 000004
【００３０】
上に述べたように、ＲＡＤＩＯＬＩＮＫＳＥＴＵＰＲＥＱＵＥＳＴメッセージ６１１を通じて前記情報がＮｏｄｅＢ６０２に伝達される。前記ＮＢＡＰメッセージ６１１を受信した前記ＮｏｄｅＢ６０２はＲＡＤＩＯＬＩＮＫＳＥＴＵＰＲＥＳＰＯＮＳＥメッセージ６１２を再びＤＲＮＣ６０３に送って前記ＲＡＤＩＯＬＩＮＫＳＥＴＵＰＲＥＱＵＥＳＴメッセージ６１１をよく受信したことを知らせる。すると、前記ＤＲＮＣ６０３は前記ＲＡＤＩＯＬＩＮＫＳＥＴＵＰＲＥＱＵＥＳＴメッセージ６１１と前記ＤＲＮＣ６０３が持っている情報を利用してＲＡＤＩＯＬＩＮＫＳＥＴＵＰＲＥＳＰＯＮＳＥメッセージ６１３を前記ＳＲＮＣ６０４に伝送する。前記ＲＮＳＡＰメッセージ６１３にはＨＳ―ＤＳＣＨＩｎｆｏｒｍａｔｉｏｎＲｅｓｐｏｎｓｅＩＥが含まれるが、前記ＨＳ―ＤＳＣＨＩｎｆｏｒｍａｔｉｏｎＲｅｓｐｏｎｓｅＩＥは前記決定されたＰＯｈｓｄｓｃｈ情報を持つ。下記の＜表２＞にはＨＳ―ＤＳＣＨＩｎｆｏｒｍａｔｉｏｎＲｅｓｐｏｎｓｅＩＥの詳細な情報を示す。下記の＜表２＞でＨＳ―ＤＳＣＨＩｎｆｏｒｍａｔｉｏｎＲｅｓｐｏｎｓｅＩＥに含まれたＰＯｈｓｄｓｃｈは前記ＮＢＡＰメッセージ６１１に含まれたＨＳ―ＤＳＣＨＩｎｆｏｒｍａｔｉｏｎＩＥのＰＯｈｓｄｓｃｈと同情報を意味する。
【００３１】
【表２】
2004040778.tif 000005
【００３２】
前記ＲＮＳＡＰメッセージ６１３を受信した前記ＳＲＮＣ６０４は、前記ＲＮＳＡＰメッセージ６１３に含まれた情報とその他の情報を利用して無線ベアラー設定を要請するＲＡＤＩＯＢＥＡＲＥＲＳＥＴＵＰメッセージ６１４を生成してＵＥ６０１に伝送する。前記ＲＲＣメッセージ６１４にもまた、前記ＤＲＮＣ（ＣＲＮＣ）６０３から前記ＲＮＳＡＰメッセージ６１３を通じて伝達されたＰＯｈｓｄｓｃｈ情報が含まれる。前記ＵＥ６０１は、前記ＲＲＣメッセージ６１４を受信することによって前記ＤＲＮＣ６０３により定められたＰＯｈｓｄｓｃｈ情報を受信することができる。
前記ＲＡＤＩＯＢＥＡＲＥＲＳＥＴＵＰメッセージ６１４を受信した前記ＵＥ６０１は、無線ベアラーの設定が完了されたことを表すＲＡＤＩＯＢＥＡＲＥＲＳＥＴＵＰＣＯＭＰＬＥＴＥメッセージ６１５を前記ＳＲＮＣ６０４に送ることによってＨＳＤＰＡサービスの受信が可能であることを知らせる。これで、前記ＵＥ６０１と前記ＮｏｄｅＢ６０２はお互いＨＳ−ＰＤＳＣＨの電力オフセット情報を知ることができる。したがって、ＵＥがＣＱＩを決定し、ＮｏｄｅＢが前記ＣＱＩを受信してＨＳ―ＤＳＣＨを伝送するに際して円滑な動作が可能となる。
前述の図６の信号処理において太い矢印で表示されたメッセージは、ＰＯｈｓｄｓｃｈ情報が伝達される信号を意味する。
【００３３】
図７は、本発明の一実施例に係る移動通信システムでＨＳ−ＰＤＳＣＨの電力オフセット情報を伝達するための他の信号処理を示す図である。すなわち、図７はＵＥ７０１がＮｏｄｅＢ７０２と専用チャネルなどを通じて通信する際、ＨＳＤＰＡサービスを始めたり、またはＨＳＰＤＡサービスが提供される途中で設定を変えなければならない時における信号処理を示している。
図７を参照すれば、ＳＲＮＣ７０４は無線リンク再設定準備を要請するＲＡＤＩＯＬＩＮＫＲＥＣＯＮＦＩＧＵＲＡＴＩＯＮＰＲＥＰＡＲＥメッセージ７１０をＤＲＮＣ７０３に伝送してサービスされるべきＨＳＤＰＡ関連情報を知らせる。前記ＤＲＮＣ７０３（本実施例ではＣＲＮＣとなる）はＨＳ−ＰＤＳＣＨ電力オフセット情報を前記図５で説明したブロックを通じて決定する。その後、前記ＤＲＮＣ７０３は前記ＲＮＳＡＰメッセージ７１０から受信した情報とその他の情報を含むＲＡＤＩＯＬＩＮＫＲＥＣＯＮＦＩＧＵＲＡＴＩＯＮＰＲＥＰＡＲＥメッセージ７１１を生成してＮｏｄｅＢ７０２に伝送することによって無線リンク再設定を要請する。前記ＮＢＡＰメッセージ７１１には前記ＨＳ−ＰＤＳＣＨ電力オフセット情報であるＰＯｈｓｄｓｃｈ情報が含まれる。前記ＰＯｈｓｄｓｃｈ情報はＨＳＤＰＡサービスが追加される場合、ＨＳ―ＤＳＣＨＩｎｆｏｒｍａｔｉｏｎｔｏＡｄｄＩＥに含まれ、ＨＳＤＰＡサービスの設定が変わる場合にはＨＳ―ＤＳＣＨＩｎｆｏｒｍａｔｉｏｎｔｏｍｏｄｉｆｙＩＥに含まれる。前記ＨＳ―ＤＳＣＨＩｎｆｏｒｍａｔｉｏｎｔｏＡｄｄＩＥは、前記図６で説明されたＮＢＡＰメッセージ６１１に含まれているＨＳ―ＤＳＣＨＦＤＤＩｎｆｏｒｍａｔｉｏｎＩＥと同一である。これに対し、ＨＳ―ＤＳＣＨＩｎｆｏｒｍａｔｉｏｎｔｏｍｏｄｉｆｙＩＥは下記の＜表３＞のように形成されるが、含まれるＰＯｈｓｄｓｃｈ情報の形態は前記ＨＳ―ＤＳＣＨＦＤＤＩｎｆｏｒｍａｔｉｏｎＩＥと同一である。
【００３４】
【表３】
2004040778.tif 000006
【００３５】
前記ＮＢＡＰメッセージ７１１を受信した前記ＮｏｄｅＢ７０２は、前記メッセージに含まれたＰＯｈｓｄｓｃｈ情報を得、無線リンク再設定準備が完了されたことを表すＲＡＤＩＯＬＩＮＫＲＥＣＯＮＦＩＧＵＲＡＴＩＯＮＲＥＡＤＹメッセージ７１２を前記ＤＲＮＣ７０３に送る。前記ＮＢＡＰメッセージ７１２を受信した前記ＤＲＮＣ７０３は、ＳＲＮＣ７０４に無線リンク再設定準備が完了されたことを表すＲＡＤＩＯＬＩＮＫＲＥＣＯＮＦＩＧＵＲＡＴＩＯＮＲＥＡＤＹメッセージ７１３を伝送する。前記ＰＯｈｓｄｓｃｈ情報は前記ＲＮＳＡＰメッセージ７１３を通じて伝達される。前記ＰＯｈｓｄｓｃｈ情報が含まれるＩＥは、前記図６のＲＡＤＩＯＬＩＮＫＳＥＴＵＰＲＥＳＰＯＮＳＥメッセージにおけると同一なＨＳ―ＤＳＣＨＦＤＤＩｎｆｏｒｍａｔｉｏｎＲｅｓｐｏｎｓｅＩＥが使用される。該ＨＳ―ＤＳＣＨＦＤＤＩｎｆｏｒｍａｔｉｏｎＲｅｓｐｏｎｓｅＩＥの詳細な構成は、前記図６を説明する過程で示したとおりである。
【００３６】
前記ＲＮＳＡＰメッセージ７１３を受信した前記ＳＲＮＣ７０４は、前記ＤＲＮＣ７０３に無線リンクの再設定を委託するＲＡＤＩＯＬＩＮＫＲＥＣＯＮＦＩＧＵＲＡＴＩＯＮＣＯＭＭＩＴメッセージ７１４を送る。前記ＤＲＮＣ７０３は前記ＮｏｄｅＢ７０２に無線リンクの再設定を委託するＲＡＤＩＯＬＩＮＫＲＥＣＯＮＦＩＧＵＲＡＴＩＯＮＣＯＭＭＩＴメッセージ７１５を送って無線リンク再設定過程を行うようにする。
前記ＳＲＮＣ７０４は、前記ＰＯｈｓｄｓｃｈ情報を前記ＵＥ７０１に送る必要があるが、それを、無線ベアラー再設定を要請するＲＡＤＩＯＢＥＡＲＥＲＲＥＣＯＮＦＩＧＵＲＡＴＩＯＮメッセージ７１６を通じて送る。前記ＵＥ７０１は、前記ＲＲＣメッセージ７１６を受信すると、無線ベアラーの再設定過程を通じて無線ベアラーを再設定する。前記無線ベアラーの再設定が完了すると、前記ＵＥ７０１は無線ベアラー再設定完了を表すＲＡＤＩＯＢＥＡＲＥＲＲＥＣＯＮＦＩＧＵＲＡＴＩＯＮＣＯＭＰＬＥＴＥメッセージ７１７を前記ＳＲＮＣ７０４に送ることによって前記図７による信号処理過程を完了する。
前記図７の信号処理においても、太い矢印で表示されたメッセージはＰＯｈｓｄｓｃｈ情報が伝達される信号を意味する。
【００３７】
本実施例で前記ＰＯｈｓｄｓｃｈ情報は、頻繁ではないが状況によって値が変わることがある。前記ＮｏｄｅＢにサービスを希望する新しい端末が追加されたり、サービスを受けていた端末が再設定される度に前記ＮｏｄｅＢはＰＯｈｓｄｓｃｈ情報を更新する。もしＰＯｈｓｄｓｃｈ情報が変わる場合、前記ＮｏｄｅＢは前記変わった情報を容易に確認可能になる。しかし、既に前記ＮｏｄｅＢからＨＳＤＰＡサービスを受けていた端末には、変わった情報を知らせる過程がさらに必要となる。このためには二つの方法があるが、その一つは、端末が既存のＰＯｈｓｄｓｃｈ情報をそのまま使用する方法であり、もう一つは、現在サービスを受けている全ての端末に前記図７で説明した無線リンク再設定過程のメッセージ処理過程を通じて前記情報を伝達する方法である。
【００３８】
２．第２実施例
後述する本発明の第２実施例では、前記ＨＳ−ＰＤＳＣＨ電力オフセットを決定する主体を、前記ＨＳ−ＰＤＳＣＨを送信するＮｏｄｅＢと仮定する。前記ＮｏｄｅＢはＣＲＮＣからＮＢＡＰメッセージを通じて受信したＨＳＤＰＡ電力情報を利用してＨＳ−ＰＤＳＣＨ電力オフセットを決定する。前記ＮｏｄｅＢは再びＮＢＡＰメッセージとＲＮＳＡＰメッセージを通じて前記ＨＳ−ＰＤＳＣＨ電力オフセットをＳＲＮＣに伝達し、前記ＳＲＮＣは再びＲＲＣメッセージを通じてＵＥに前記ＨＳ−ＰＤＳＣＨ電力オフセットを伝達する方法を説明する。
【００３９】
通常、ＣＲＮＣはＮｏｄｅＢの全体電力の範囲でＨＳＤＰＡサービスのために割り当てる全体電力を決定する。すなわち、ＨＳ−ＳＣＣＨとＨＳ−ＰＤＳＣＨが使用できる最大送信電力をＣＲＮＣが定め、その情報を保持する。本発明の要旨は、前記ＣＲＮＣが保持しているＨＳＤＰＡサービスのために割り当てる全体電力、すなわちＨＳ−ＳＣＣＨとＨＳ−ＰＤＳＣＨの最大送信電力情報をＮｏｄｅＢに知らせ、前記ＮｏｄｅＢが前記ＨＳＤＰＡサービスのために割り当てられた全体電力情報を利用して前記ＨＳ−ＰＤＳＣＨ電力オフセットを決定することにある。本発明の実施例では、ＨＳ−ＰＤＳＣＨ電力オフセットを、既に前記ＣＲＮＣに定められているＨＳ−ＳＣＣＨとＨＳ−ＰＤＳＣＨの最大送信電力情報の関数として定義する。すなわち、前記ＣＲＮＣが、ＮＢＡＰメッセージを通じて受け取ったＨＳ−ＳＣＣＨとＨＳ−ＰＤＳＣＨの最大送信電力値、その他の前記ＮｏｄｅＢにおけるＣＰＩＣＨ送信電力、前記ＮｏｄｅＢが使用する総ＨＳ−ＰＤＳＣＨコード数など前記ＮｏｄｅＢが持っている情報に基づいて前記ＨＳ−ＰＤＳＣＨ電力オフセットを設定する。
【００４０】
図８は、本発明の他の実施例に係る移動通信システムで基地局がＨＳ−ＰＤＳＣＨの電力オフセットを決定する過程を示す図であって、前記ＨＳ−ＰＤＳＣＨ電力オフセットを決定するブロック構成を示している。
図８を参照すれば、参照番号８０１、８０２、８０３、８０４それぞれは前記ＨＳ−ＰＤＳＣＨ電力オフセットを決定する変数となる。前記変数のうち、前記参照番号８０１のＨＳ−ＳＣＣＨとＨＳ−ＰＤＳＣＨの最大送信電力は、前記ＮｏｄｅＢがＣＲＮＣからＰＨＹＳＩＣＡＬＳＨＡＲＥＤＣＨＡＮＮＥＬＲＥＣＯＮＦＩＧＵＲＡＴＩＯＮＲＥＱＵＥＳＴメッセージ８１０を通じて受信した情報である。その他の参照番号８０２、８０３、８０４それぞれの情報は、前記ＮｏｄｅＢが持っている情報である。前記参照番号８０２はサービスされるＮｏｄｅＢにおいてＨＳＤＰＡサービスのために割り当てられた全体電力である。前記参照番号８０２は、前記ＮｏｄｅＢから送信されるＣＰＩＣＨの電力情報であり、前記参照番号８０３はＨＳ−ＰＤＳＣＨに対して使用可能なコードの数である。前記参照番号８０４はその他ＮｏｄｅＢの持っている情報を表している。前記変数を任意の関数８０５に適用することによってＨＳ−ＰＤＳＣＨ電力オフセット８０６を得ることができる。下記の数学式（２ａ），（２ｂ）は前記ＨＳ−ＰＤＳＣＨ電力オフセットを決定する一例になり得る。
【００４１】
【数式８】
2004040778.tif 000007
【００４２】
前記数学式（２ａ），（２ｂ）において、ＰｏｗｅｒｈｓｄｓｃｈがＨＳ−ＰＤＳＣＨのコードあたり電力になり、ＭａｘＨＳＤＰＡＴＴｏｔａｌｐｏｗｅｒは、全体ＨＳＤＰＡサービスのために割り当てられた最大送信電力である。ＭａｘＨＳ―ＳＣＣＨｐｏｗｅｒは、ＨＳ−ＳＣＣＨに割り当てられた最大送信電力であり、ＮはＨＳ−ＰＤＳＣＨに使用される全体コードの数である。ＰｏｗｅｒｈｓｄｓｃｈはＣＰＩＣＨに割り当てられた送信電力であり、ＰｏｗｅｒｈｓｄｓｃｈはコードあたりＨＳ−ＰＤＳＣＨの電力オフセットになる。すなわち、前記Ｐｏｗｅｒｈｓｄｓｃｈ８０６は前記ＭａｘＨＳＤＰＡＴｏｔａｌｐｏｗｅｒ情報８０１に比例し、前記Ｐｏｗｅｒｈｓｄｓｃｈ情報８０２と前記ＨＳ−ＰＤＳＣＨに使用される全体コードの数８０３に反比例する関数を取る。
本発明の第２実施例では、前記図８で説明したＨＳ−ＰＤＳＣＨ電力オフセット決定ブロックがＮｏｄｅＢに含まれる。前記図８に示した過程でＮｏｄｅＢがＨＳ−ＰＤＳＣＨ電力オフセットを決定すると、前記ＨＳ−ＰＤＳＣＨ電力オフセット情報を端末に伝達しなければならない。
【００４３】
図９および図１０では前記ＮｏｄｅＢが決定したＨＳ−ＰＤＳＣＨ電力オフセットを端末に伝達する過程の例を示している。前記図９および図１０を参照して後述なる説明において、ＲＮＣどうし間には“ＲＮＳＡＰメッセージ”が使用され、ＤＲＮＣとＮｏｄｅＢ間には“ＮＢＡＰメッセージ”が使用される。前記ＮｏｄｅＢとＵＥ間には“ＲＲＣメッセージ”が使用される。
図９は本発明の他の実施例に係る移動通信システムでＨＳ−ＰＤＳＣＨ電力オフセット情報を伝達するための信号処理の一例を示す図である。前記図９でＮｏｄｅＢ９０２はＤＲＮＣ９０３にＩｕｂで連結されており、前記ＤＲＮＣ９０３はＳＲＮＣ９０４とＩｕｒで連結されている。前記図９でＤＲＮＣ９０３は前記ＮｏｄｅＢ９０２においてＣＲＮＣとなる。
【００４４】
前記図９を参照すれば、ＳＲＮＣ９０４はＤＲＮＣ９０３に無線リンク設定を要請するＲＡＤＩＯＬＩＮＫＳＥＴＵＰＲＥＱＵＥＳＴメッセージ９１０を送る。前記ＲＡＤＩＯＬＩＮＫＳＥＴＵＰＲＥＱＵＥＳＴメッセージ９１０には前記ＵＥ９０１と前記ＮｏｄｅＢ９０２間に伝送が始まるＨＳ−ＤＳＣＨに関連した情報であるＨＳＤＰＡ関連ＩＥが含まれている。前記ＨＳＤＰＡ関連ＩＥにはＨＳ―ＤＳＣＨＩｎｆｏｒｍａｔｉｏｎ、ＨＳ−ＰＤＳＣＨＲＬＩＤなどが含まれる。前記ＲＮＳＡＰメッセージ９１０を受けた前記ＤＲＮＣ９０３（または、ＣＲＮＣ）はＨＳ−ＳＣＣＨとＨＳ−ＰＤＳＣＨの最大送信電力情報を物理共有チャネルの再設定を要請するＰＨＹＳＩＣＡＬＳＨＡＲＥＤＣＨＡＮＮＥＬＲＥＣＯＮＦＩＧＵＲＡＴＩＯＮＲＥＱＵＥＳＴメッセージ９２０を通じて前記ＮｏｄｅＢ９０２に伝達する。前記ＮＢＡＰメッセージ９２０を受信した前記ＮｏｄｅＢ９０２は前記ＰＨＹＳＩＣＡＬＳＨＡＲＥＤＣＨＡＮＮＥＬＲＥＣＯＮＦＩＧＵＲＡＴＩＯＮＲＥＱＵＥＳＴメッセージ９２０に含まれた情報を貯蔵し、ＰＨＹＳＩＣＡＬＳＨＡＲＥＤＣＨＡＮＮＥＬＲＥＣＯＮＦＩＧＵＲＡＴＩＯＮＲＥＳＰＯＮＳＥメッセージ９２１を前記ＤＲＮＣ９０３に伝送する。前記ＮＢＡＰメッセージ９２０、９２１は前記ＳＲＮＣ９０４が前記ＤＲＮＣ９０３にＲＮＳＡＰメッセージであるＲＡＤＩＯＬＩＮＫＳＥＴＵＰＲＥＱＵＥＳＴメッセージ９１０を送ってから送るか、あるいは、前記ＤＲＮＣ９０３の状況に応じて前記ＤＲＮＣ９０３と前記ＮｏｄｅＢ９０２間に随時取り交すことができる。
【００４５】
前記ＰＨＹＳＩＣＡＬＳＨＡＲＥＤＣＨＡＮＮＥＬＲＥＣＯＮＦＩＧＵＲＡＴＩＯＮＲＥＱＵＥＳＴメッセージ９２０にはＨＳ＿ＰＤＳＣＨａｎｄＨＳ―ＳＣＣＨＴｏｔａｌＰｏｗｅｒＩＥが含まれるが、前記ＨＳ＿ＰＤＳＣＨａｎｄＨＳ―ＳＣＣＨＴｏｔａｌＰｏｗｅｒＩＥが前記図８で説明したＨＳ−ＳＣＣＨとＨＳ−ＰＤＳＣＨの最大送信電力情報となる。つまり、ＮｏｄｅＢ９０２が前記ＨＳ−ＳＣＣＨとＨＳ−ＰＤＳＣＨの最大送信電力情報を持つことになる。
前記ＲＮＳＡＰメッセージ９１０を受けた前記ＤＲＮＣ９０３は、前記ＲＮＳＡＰメッセージ９１０を分析してＨＳＤＰＡ関連情報を得た後、前記情報と前記ＤＲＮＣ９０３が持っている追加情報を、無線リンクの設定を要請するＲＡＤＩＯＬＩＮＫＳＥＴＵＰＲＥＱＵＥＳＴメッセージ９１１を通じて前記ＮｏｄｅＢ９０２に伝送する。前記ＮＢＡＰメッセージ９１１に含まれたＨＳＤＰＡ関連ＩＥにはＨＳ―ＤＳＣＨＩｎｆｏｒｍａｔｉｏｎ、ＨＳ―ＰＤＳＣＨＲＬＩＤ、ＨＳ―ＤＳＣＨ―ＲＮなどがある。
前記ＲＡＤＩＯＬＩＮＫＳＥＴＵＰＲＥＱＵＥＳＴメッセージ９１１を通じて前記ＨＳＤＰＡ関連情報がＮｏｄｅＢ９０２に伝達されると、前記ＮｏｄｅＢ９０２はＨＳ−ＰＤＳＣＨ電力オフセット情報を生成する。すなわち、前記ＮｏｄｅＢ９０２は前記図８の参照番号８０１、８０２、８０３、８０４それぞれの情報を持っているので、ＨＳ−ＰＤＳＣＨ電力オフセット情報８０６を生成することができる。すると、ＮｏｄｅＢ９０２は前記生成されたＨＳ−ＰＤＳＣＨ電力オフセット情報をＵＥ９０１に伝達する作業を始める。
【００４６】
前記ＮＢＡＰメッセージ９１１を受信した前記ＮｏｄｅＢ９０２は、前記ＮＢＡＰメッセージ９１１に対する応答としてＲＡＤＩＯＬＩＮＫＳＥＴＵＰＲＥＳＰＯＮＳＥメッセージ９１２を前記ＤＲＮＣ９０３に送る。この時、前記ＮＢＡＰメッセージ９１２と共に前記ＮｏｄｅＢ９０２は前記決定されたＨＳ−ＰＤＳＣＨ電力オフセット値を送ることができる。前記ＨＳ−ＰＤＳＣＨ電力オフセットを“ＰＯｈｓｄｓｃｈ”と定義すれば、前記ＰＯｈｓｄｓｃｈＩＥをＨＳ―ＤＳＣＨＩｎｆｏｒｍａｔｉｏｎＲｅｓｐｏｎｓｅＩＥ内に含める方法を使用することができる。下記の＜表４＞に、前記ＲＡＤＩＯＬＩＮＫＳＥＴＵＰＲＥＳＰＯＮＳＥメッセージ９１２に含まれているＨＳ―ＤＳＣＨＩｎｆｏｒｍａｔｉｏｎＲｅｓｐｏｎｓｅＩＥを示す。最後の列に含まれているＩＥであるＰＯｈｓｄｓｃｈが前記ＨＳ−ＰＤＳＣＨ電力オフセット情報を表す。前記ＩＥのＩＥｔｙｐｅａｎｄｒｅｆｅｒｅｎｃｅはＨＳ−ＰＤＳＣＨ電力オフセット情報の可能な値によって決定される。本実施例では３から１５までの値を使用すると仮定した。また、本実施例では前記ＰＯｈｓｄｓｃｈ情報を一つのコードを使用するＨＳ−ＰＤＳＣＨの電力オフセット情報として仮定した。したがって、前記ＰＯｈｓｄｓｃｈ情報を一つのＮｏｄｅＢが使用する全てのＨＳ−ＰＤＳＣＨの電力オフセットとして定めてもいい。この場合には前記ＮｏｄｅＢが使用するＨＳ−ＰＤＳＣＨのコード数を端末に知らせる必要がある。
【００４７】
【表４】
2004040778.tif 000008
【００４８】
前記ＤＲＮＣ９０３は、前記ＲＡＤＩＯＬＩＮＫＳＥＴＵＰＲＥＳＰＯＮＳＥメッセージ９１２の情報を利用してＲＡＤＩＯＬＩＮＫＳＳＥＴＵＰＲＥＳＰＯＮＳＥメッセージ９１３を前記ＳＲＮＣ９０４に送る。前記ＤＲＮＣ９０３は前記ＲＡＤＩＯＬＩＮＫＳＥＴＵＰＲＥＳＰＯＮＳＥメッセージ９１２を通じてＰＯｈｓｄｓｃｈ情報を受けた状態であるので、前記ＲＮＳＡＰメッセージ９１３にはＨＳ―ＤＳＣＨＩｎｆｏｒｍａｔｉｏｎＲｅｓｐｏｎｓｅＩＥが含まれるが、前記ＩＥに前記決定されたＰＯｈｓｄｓｃｈ情報を含めて前記ＳＲＮＣ９０４に伝達することができる。ＨＳ―ＤＳＣＨＩｎｆｏｒｍａｔｉｏｎＲｅｓｐｏｎｓｅＩＥの詳細な情報は前述した第１実施例におけると同様である。前記ＨＳ―ＤＳＣＨＩｎｆｏｒｍａｔｉｏｎＲｅｓｐｏｎｓｅＩＥに含まれたＰＯｈｓｄｓｃｈは前記ＮＢＡＰメッセージ９１１に含まれたＨＳ―ＤＳＣＨＩｎｆｏｒｍａｔｉｏｎＩＥのＰＯｈｓｄｓｃｈと同情報を意味する。
【００４９】
前記ＲＮＳＡＰメッセージ９１３を受信した前記ＳＲＮＣ９０４は、前記ＲＮＳＡＰメッセージ９１３とその他の情報を利用して無線ベアラーの設定を要請するＲＡＤＩＯＢＥＡＲＥＲＳＥＴＵＰメッセージ９１４を生成してＵＥ９０１に伝送する。前記ＲＲＣメッセージ９１４には前記ＤＲＮＣ（ＣＲＮＣ）９０３から前記ＲＮＳＡＰメッセージ９１３を通じて前記ＳＲＮＣ９０４に伝達されたＰＯｈｓｄｓｃｈ情報が含まれる。したがって、前記ＵＥ９０１は、前記ＲＲＣメッセージ９１４を受信することによって前記ＮｏｄｅＢ９０２が決定したＰＯｈｓｄｓｃｈ情報を受信することができる。
前記ＲＡＤＩＯＢＥＡＲＥＲＳＥＴＵＰメッセージ９１４を受信した前記ＵＥ９０１は、無線ベアラーの設定のための手順を行った後、前記無線ベアラーの設定が完了したことを表すＲＡＤＩＯＢＥＡＲＥＲＳＥＴＵＰＣＯＭＰＬＥＴＥメッセージ９１５を前記ＳＲＮＣ９０４に送ることによってＨＳＤＰＡサービスの受信が可能であることを知らせる。これにより、前記ＵＥ９０１と前記ＮｏｄｅＢ９０２はお互いＨＳ−ＰＤＳＣＨの電力オフセット情報を知っている。したがって、ＵＥ９０１がＣＱＩを決定し、ＮｏｄｅＢ９０２が前記ＣＱＩを受信してＨＳ―ＤＳＣＨを伝送するに際して円滑な動作が可能になる。
前述した前記図９の信号処理過程において太い矢印で表示されたメッセージ９１２、９１３、９１４がＰＯｈｓｄｓｃｈ情報を伝達する信号である。
【００５０】
図１０は、本発明の他の実施例に係る移動通信システムでＨＳ−ＰＤＳＣＨ電力オフセット情報を伝達するための信号処理を示す図である。すなわち、前記図１０ではＵＥ１００１がＮｏｄｅＢ１００２と専用チャネルなどで通信する際、ＨＳＤＰＡサービスを始めるか、または、ＨＳＰＤＡサービスが提供されている途中で設定を変える必要があるときにおける信号処理を示している。
前記図１０を参照すれば、ＳＲＮＣ１００４は無線リンク再設定準備を要請するＲＡＤＩＯＬＩＮＫＲＥＣＯＮＦＩＧＵＲＡＴＩＯＮＰＲＥＰＡＲＥメッセージ１０１０をＤＲＮＣ１００３に伝送してサービスされるべきＨＳＤＰＡ関連情報をＤＲＮＣ１００３に知らせる。前記ＲＮＳＡＰメッセージ１０１０を受けたＤＲＮＣ（または、ＣＲＮＣ）１００３はＨＳ−ＳＣＣＨとＨＳ−ＰＤＳＣＨの最大送信電力情報を物理共有チャネルの再設定を要請するＰＨＹＳＩＣＡＬＳＨＡＲＥＤＣＨＡＮＮＥＬＲＥＣＯＮＦＩＧＵＲＡＴＩＯＮＲＥＱＵＥＳＴメッセージ１０２０を通じて前記ＮｏｄｅＢ１００２に伝達する。前記ＮＢＡＰメッセージ１０２０を受信した前記ＮｏｄｅＢ１００２は前記ＰＨＹＳＩＣＡＬＳＨＡＲＥＤＣＨＡＮＮＥＬＲＥＣＯＮＦＩＧＵＲＡＴＩＯＮＲＥＱＵＥＳＴメッセージ１０２０に含まれた情報を貯蔵し、ＰＨＹＳＩＣＡＬＳＨＡＲＥＤＣＨＡＮＮＥＬＲＥＣＯＮＦＩＧＵＲＡＴＩＯＮＲＥＳＰＯＮＳＥメッセージ１０２１を前記ＤＲＮＣ１００３に伝送する。前記ＮＢＡＰメッセージ１０２０、１０２１は、前記ＳＲＮＣ１００４が前記ＤＲＮＣ１００３にＲＮＳＡＰメッセージであるＲＡＤＩＯＬＩＮＫＲＥＣＯＮＦＩＧＵＲＡＴＩＯＮＰＲＥＰＡＲＥメッセージ１０１０を送ってから送られる場合だけでなく、前記ＤＲＮＣ１００３の状況に応じて前記ＤＲＮＣ１００３と前記ＮｏｄｅＢ１００２間に随時取り交すことができる。
【００５１】
前記ＰＨＹＳＩＣＡＬＳＨＡＲＥＤＣＨＡＮＮＥＬＲＥＣＯＮＦＩＧＵＲＡＴＩＯＮＲＥＱＵＥＳＴメッセージ１０２０にはＨＳ＿ＰＤＳＣＨａｎｄＨＳ―ＳＣＣＨＴｏｔａｌＰｏｗｅｒＩＥが含まれるが、前記ＨＳ＿ＰＤＳＣＨａｎｄＨＳ―ＳＣＣＨＴｏｔａｌＰｏｗｅｒＩＥがＨＳ−ＳＣＣＨとＨＳ−ＰＤＳＣＨの最大送信電力情報８０１となる。すなわち、前記ＮｏｄｅＢ１００２が前記ＨＳ−ＳＣＣＨとＨＳ−ＰＤＳＣＨの最大送信電力情報を持つことになる。
前記ＲＡＤＩＯＬＩＮＫＲＥＣＯＮＦＩＧＵＲＡＴＩＯＮＰＲＥＰＡＲＥメッセージ１０１０を受けた前記ＤＲＮＣ１００３は、前記ＲＮＳＡＰメッセージ１０１０を通じて受信した情報とその他の情報を利用して無線リンクの再設定を準備させるＲＡＤＩＯＬＩＮＫＲＥＣＯＮＦＩＧＵＲＡＴＩＯＮＰＲＥＰＡＲＥメッセージ１０１１を生成して前記ＮｏｄｅＢ１００２に伝送する。前記ＮＢＡＰメッセージ１０１１に含まれたＨＳＤＰＡ関連ＩＥにはＨＳ―ＤＳＣＨＩｎｆｏｒｍａｔｉｏｎ、ＨＳ―ＰＤＳＣＨＲＬＩＤ、ＨＳ―ＤＳＣＨ―ＲＮなどがある。
【００５２】
前記ＲＡＤＩＯＬＩＮＫＲＥＣＯＮＦＩＧＵＲＡＴＩＯＮＰＲＥＰＡＲＥメッセージ１０１１を通じて前記ＨＳＤＰＡ関連情報が前記ＮｏｄｅＢ１００２に伝達されると、前記ＮｏｄｅＢ１００２はＨＳ−ＰＤＳＣＨ電力オフセット情報を生成する。つまり、前記ＮｏｄｅＢ１００２は前記図８の参照番号８０１、８０２、８０３、８０４それぞれの情報を持っているのでＨＳ−ＰＤＳＣＨ電力オフセット情報８０６を生成することができる。上記のＨＳ−ＰＤＳＣＨ電力オフセット情報が生成されると、前記ＮｏｄｅＢ１００２は前記生成したＨＳ−ＰＤＳＣＨ電力オフセット情報を端末に送る作業を始める。
前記ＮＢＡＰメッセージ１０１１を受信した前記ＮｏｄｅＢ１００２は、前記ＮＢＡＰメッセージ１０１１に含まれたＨＳＤＰＡ関連情報を得、無線リンクを再設定する準備ができたことを表すＲＡＤＩＯＬＩＮＫＲＥＣＯＮＦＩＧＵＲＡＴＩＯＮＲＥＡＤＹメッセージ１０１２を前記ＤＲＮＣ１００３に送って前記ＮＢＡＰメッセージ１０１１に対する応答を行う。前記ＮＢＡＰメッセージ１０１２は前記ＮｏｄｅＢ１００２により決定されたＨＳ−ＰＤＳＣＨ電力オフセット情報のＰＯｈｓｄｓｃｈ情報と共に伝送される。前記ＰＯｈｓｄｓｃｈ情報は、前記ＲＡＤＩＯＬＩＮＫＲＥＣＯＮＦＩＧＵＲＡＴＩＯＮＲＥＡＤＹメッセージ１０１２中のＨＳ―ＤＳＣＨＩｎｆｏｒｍａｔｉｏｎＲｅｓｐｏｎｓｅＩＥ内に含まれて伝送される。前記ＨＳ―ＤＳＣＨＩｎｆｏｒｍａｔｉｏｎＲｅｓｐｏｎｓｅＩＥは、前記図９で説明したＩＥと同一である。
【００５３】
前記ＮＢＡＰメッセージ１０１２を受信した前記ＤＲＮＣ１００３は、前記ＮＢＡＰメッセージ１０１２に含まれたＰＯｈｓｄｓｃｈ情報を貯蔵する。前記ＤＲＮＣ１００３は、前記貯蔵しているＰＯｈｓｄｓｃｈを、無線リンクの再設定準備ができたことを表すＲＡＤＩＯＬＩＮＫＲＥＣＯＮＦＩＧＵＲＡＴＩＯＮＲＥＡＤＹメッセージ１０１３を通じて前記ＳＲＮＣ１００４に送る。前記ＰＯｈｓｄｓｃｈ情報の含まれるＩＥは、前記図６のＲＡＤＩＯＬＩＮＫＳＥＴＵＰＲＥＳＰＯＮＳＥメッセージと同じＨＳ―ＤＳＣＨＦＤＤＩｎｆｏｒｍａｔｉｏｎＲｅｓｐｏｎｓｅＩＥが使用される。このＨＳ―ＤＳＣＨＦＤＤＩｎｆｏｒｍａｔｉｏｎＲｅｓｐｏｎｓｅＩＥの詳細な構成は前記図６に説明されたとおりである。
前記ＲＮＳＡＰメッセージ１０１３を受信した前記ＳＲＮＣ１００４は、前記ＤＲＮＣ１００３に無線リンクの再設定を委託するＲＡＤＩＯＬＩＮＫＲＥＣＯＮＦＩＧＵＲＡＴＩＯＮＣＯＭＭＩＴメッセージ１０１４を送り、前記ＤＲＮＣ１００３は前記ＮｏｄｅＢ１００２にＲＡＤＩＯＬＩＮＫＲＥＣＯＮＦＩＧＵＲＡＴＩＯＮＣＯＭＭＩＴメッセージ１０１５を送って無線リンク再設定過程を行うようにする。
【００５４】
前記ＳＲＮＣ１００４は、前記ＰＯｈｓｄｓｃｈ情報を前記ＵＥ１００１に送る必要があるが、無線ベアラーの再設定を要請するＲＡＤＩＯＢＥＡＲＥＲＲＥＣＯＮＦＩＧＵＲＡＴＩＯＮメッセージ１０１６を通じて送る。前記ＲＲＣメッセージ１０１６を受信した前記ＵＥ１００１は無線ベアラーの再設定のための手続を行う。その後、前記ＵＥ１００１は前記ＲＲＣメッセージ１０１６に対する応答として無線ベアラーの再設定が完了したことを表すＲＡＤＩＯＢＥＡＲＥＲＲＥＣＯＮＦＩＧＵＲＡＴＩＯＮＣＯＭＰＬＥＴＥメッセージ１０１７を前記ＳＲＮＣ１００４に送ることによって前記図１０における信号処理過程が完了される。
前記図１０における信号処理においても、太い矢印で表示されたメッセージ１０１２、１０１３、１０１６はＰＯｈｓｄｓｃｈ情報が伝達される信号を意味する。
本実施例で前記情報は頻繁ではないが状況に応じて値が変わることがある。前記ＮｏｄｅＢ１００２にサービスを希望する新しい端末が追加されたり、サービスを受けていた端末１００１が再設定される度に前記ＮｏｄｅＢ１００２は情報を更新する。もし情報が変わる場合、前記ＮｏｄｅＢ１００２は前記変わった情報が容易に確認可能になる。しかし、既に前記ＮｏｄｅＢ１００２からＨＳＤＰＡサービス受けていた端末１００１にとっては、変わった情報を知らせる過程がさらに必要となる。このためには二つの方法があるが、その一つは、端末１００１が既存のＰＯｈｓｄｓｃｈ情報をそのまま使用する方法であり、もう一つは、現在サービスを受けている全ての端末１００１に前記図１０で説明した無線リンク再設定過程のメッセージ処理過程を通じて前記情報を伝達する方法である。
【図面の簡単な説明】
【００５５】
【図１】一般の移動通信システムの一つのセル内で使用するチャネルを示す図である。
【図２】一般の移動通信システムの一つのセル内でチャネルそれぞれに割り当てられる基地局電力の量を示す図である。
【図３】一般の移動通信システムで高速順方向パケット接続方式を支援する逆方向チャネルの構造を示す図である。
【図４】一般の移動通信システムで高速順方向パケット接続方式を支援する順方向チャネルの構造を示す図である。
【図５】本発明の一実施例に係るコントロール無線網制御機が高速順方向物理共有チャネルの電力オフセットを決定する過程を示す図である。
【図６】本発明の一実施例に係る移動通信システムで高速順方向物理共有チャネルの電力オフセット情報を伝達するための信号処理の一例を示す図である。
【図７】本発明の一実施例に係る移動通信システムで高速順方向物理共有チャネルの電力オフセット情報を伝達するための信号処理の他の例を示す図である。
【図８】本発明の他の実施例に係る移動通信システムで基地局が高速順方向物理共有チャネルの電力オフセットを決定する過程を示す図である。
【図９】本発明の他の実施例に係る移動通信システムで高速順方向物理共有チャネルの電力オフセット情報を伝達するための信号処理の一例を示す図である。
【図１０】本発明の他の実施例に係る移動通信システムで高速順方向物理共有チャネルの電力オフセット情報を伝達するための信号処理の他の例を示す図である。
【符号の説明】
【００５６】
１０１　ＮｏｄｅＢ（基地局）
１０４，１０６，１０８　端末
【図１】
2004040778.tif 000015
【図２】
2004040778.tif 000016
【図３】
2004040778.tif 000017
【図４】
2004040778.tif 000018
【図５】
2004040778.tif 000019
【図６】
2004040778.tif 000020
【図７】
2004040778.tif 000021
【図８】
2004040778.tif 000022
【図９】
2004040778.tif 000023
【図１０】
2004040778.tif 000024
【外国語明細書】
2004040778.tif 000025
2004040778.tif 000026
2004040778.tif 000027
2004040778.tif 000028
2004040778.tif 000029
2004040778.tif 000030
2004040778.tif 000031
2004040778.tif 000032
2004040778.tif 000033
2004040778.tif 000034
2004040778.tif 000035
2004040778.tif 000036
2004040778.tif 000037
2004040778.tif 000038
2004040778.tif 000039
2004040778.tif 000040
2004040778.tif 000041
2004040778.tif 000042
2004040778.tif 000043
2004040778.tif 000044
2004040778.tif 000045
2004040778.tif 000046
2004040778.tif 000047
2004040778.tif 000048
2004040778.tif 000049
2004040778.tif 000050
2004040778.tif 000051
2004040778.tif 000052
2004040778.tif 000053
2004040778.tif 000054
2004040778.tif 000055
2004040778.tif 000056
2004040778.tif 000057
2004040778.tif 000058
2004040778.tif 000059
2004040778.tif 000060
2004040778.tif 000061
2004040778.tif 000062
2004040778.tif 000063
2004040778.tif 000064
2004040778.tif 000065
2004040778.tif 000066
2004040778.tif 000067
2004040778.tif 000068
2004040778.tif 000069
2004040778.tif 000070
2004040778.tif 000071
2004040778.tif 000072
2004040778.tif 000073